(57)【要約】【課題】外部からの衝撃や荷重を受けてもベールやベール支持部材等が損傷することがなく、かつベール操作時に操作者に違和感を与えない。【解決手段】アーム部２およびベール支持部材１２Ａの対向部位の一方に設けられた円弧状の案内溝１５と、他方に設けられ、案内溝１５に挿入配置されて当該案内溝１５内をベール支持部材１２Ａの反転操作に連動して移動する移動部材１６と、案内溝１５の一端側の所定位置に配置され、ベール支持部材１２Ａを釣糸巻取位置に保持する当接部材と、を備え、当接部材は、付勢手段により移動部材１６に向けて付勢されて所定位置に位置決めされており、付勢手段による付勢力Ｆ１と、振分け付勢ばね２３の付勢力Ｆ２との関係がＦ１＞Ｆ２であり、当接部材は、外部負荷入力により、移動部材１６の押圧力が付勢力Ｆ１よりもさらに大きくなった場合に、付勢手段に抗して案内溝１５の一端に向けて移動可能に構成されている。【選択図】図２
2011244752.tif 000002
【特許請求の範囲】
【請求項１】
リール本体と、前記リール本体に設けられ、ハンドルの巻き取り操作に連動回転するロータとを有し、前記ロータのアーム部に、釣糸案内部を有するベール支持部材を釣糸巻取位置と釣糸放出位置とに反転自在に回動支持するとともに、前記ベール支持部材を前記両位置のそれぞれに振分け付勢ばねにより振分け付勢保持した魚釣用スピニングリールにおいて、
前記アーム部およびベール支持部材の対向部位の一方に設けられた円弧状の案内溝と、
他方に設けられ、前記案内溝に挿入配置されて当該案内溝内を前記ベール支持部材の反転操作に連動して移動する移動部材と、
前記案内溝の一端側の所定位置に配置され、前記移動部材に当接して前記ベール支持部材を釣糸巻取位置に保持する当接部材と、
を備え、
前記当接部材は、付勢手段により前記移動部材に向けて付勢されて前記所定位置に位置決めされており、
前記付勢手段による付勢力をＦ１、前記振分け付勢ばねによる付勢力をＦ２とすると、これらの関係がＦ１＞Ｆ２であり、
前記当接部材は、外部負荷入力により、前記移動部材の押圧力が前記付勢力Ｆ１よりもさらに大きくなった場合に、前記付勢手段に抗して前記案内溝の一端に向けて移動可能に構成されていることを特徴とする魚釣用スピニングリール。
【請求項２】
前記当接部材における前記移動部材との当接部位には、金属製の介設部材が介設されていることを特徴とする請求項１に記載の魚釣用スピニングリール。
【請求項３】
前記介設部材は、内側に中空部を有していることを特徴とする請求項２に記載の魚釣用スピニングリール。
【発明の詳細な説明】
【技術分野】
【０００１】
本発明は、魚釣用スピニングリールに関する。
【背景技術】
【０００２】
従来の一般的な魚釣用スピニングリールでは、ハンドルにより回転駆動されるロータにベールが付設されており、このベールを介して繰り出された釣糸の巻き取るように構成されている。
ところで、ベールやベール支持部材は、オシレーティング機構によって往復動するスプールの周りを回転駆動されて、巻き上げた釣糸をスプールに巻回する構成であるため、例えば、魚釣用スピニングリールの保管時や持ち運び時、あるいは実釣時等においても、外部からの衝撃や荷重を受け易い構造であるといえる。このような外部からの衝撃や荷重がベールやベール支持部材に作用すると、ベールとベール支持部との間に設けられるラインローラ部を含めて、各部位や接合箇所等において損傷が生じる虞がある。
【０００３】
そこで、従来では、このような外部からの衝撃や荷重に対してベールとその周辺を保護するようにしたものとして、例えば、超弾性部材によりベールを構成したものが知られている（例えば、特許文献１参照）。
【０００４】
また、例えば、熱可塑性エラストマー樹脂材料によりベール支持部材を形成して、外部からの衝撃等を吸収するようにした技術も知られている（例えば、特許文献２参照）。
【０００５】
また、例えば、ベールを巻取位置に戻した際の衝撃を緩和して、衝撃音を抑制するようにしたものも知られている（例えば、特許文献３参照）。
【先行技術文献】
【特許文献】
【０００６】
【特許文献１】特開２０００−３４２１３０号公報
【特許文献２】特開２００７−１１０９６５号公報
【特許文献３】実開平４−１２９７６７号公報
【発明の概要】
【発明が解決しようとする課題】
【０００７】
前記特許文献１では、ベールを超弾性部材で構成しているので、外部からの衝撃や荷重を受けた際にベールが変形可能であり、この変形によって衝撃や荷重を吸収することができる。しかしながら、その反面、ベールの剛性が不足してしまい、ベール操作時に、操作者に対して違和感を与えるとともに操作し難いという問題がある。
【０００８】
また、前記特許文献２では、ベール支持部材を熱可塑性エラストマー樹脂製としてあるので、外部からの衝撃や荷重に対して、ベール支持部材が変形して衝撃や荷重を吸収することができるが、ベール支持部材の部品精度や温度による形状変化等に対処するために、高精度でベール支持部材を製造することが難しいという問題がある。
【０００９】
また、前記特許文献３では、釣糸巻取位置に移行する際のベール支持部を弾性的に受け止めつつ、移行する際の移動速度を抑えた状態でストッパ機構が作動するようにした構造が開示されているのみであり、釣糸巻取位置に移行した後に、外部からの衝撃や荷重を受けた場合に対する損傷対策がなされているものではない。
【００１０】
本発明は、前記問題を解決するためになされたものであり、外部からの衝撃や荷重を受けた場合にベールやベール支持部材等が損傷することがなく、かつベール操作時に操作者に違和感を与えることのない魚釣用スピニングリールを提供することを課題とする。
【課題を解決するための手段】
【００１１】
このような課題を解決する本発明の魚釣用スピニングリールは、リール本体と、前記リール本体に設けられ、ハンドルの巻き取り操作に連動回転するロータとを有し、前記ロータのアーム部に、釣糸案内部を有するベール支持部材を釣糸巻取位置と釣糸放出位置とに反転自在に回動支持するとともに、前記ベール支持部材を前記両位置のそれぞれに振分け付勢ばねにより振分け付勢保持した魚釣用スピニングリールにおいて、前記アーム部およびベール支持部材の対向部位の一方に設けられた円弧状の案内溝と、他方に設けられ、前記案内溝に挿入配置されて当該案内溝内を前記ベール支持部材の反転操作に連動して移動する移動部材と、前記案内溝の一端側の所定位置に配置され、前記移動部材に当接して前記ベール支持部材を釣糸巻取位置に保持する当接部材と、を備え、前記当接部材は、付勢手段により前記移動部材に向けて付勢されて前記所定位置に位置決めされており、前記付勢手段による付勢力をＦ１、前記振分け付勢ばねによる付勢力をＦ２とすると、これらの関係がＦ１＞Ｆ２であり、前記当接部材は、外部負荷入力により、前記移動部材の押圧力が前記付勢力Ｆ１よりもさらに大きくなった場合に、前記付勢手段に抗して前記案内溝の一端に向けて移動可能に構成されていることを特徴とする。
ここで、付勢力Ｆ１は、実釣時において、ベールを釣糸放出位置から釣糸巻取位置に手で回動操作した際の（多少の勢いをつけて回動操作した際を含む）、移動部材の当接力（振分け付勢ばねの付勢力）に抗する大きさであり、かつ、外部負荷入力により移動部材の前記当接力よりもさらに大きな押圧力で当接部材が押圧された場合に、その押圧力を受けて移動部材を一端側に向けて移動可能とする大きさに設定されている。
【００１２】
この魚釣用スピニングリールによれば、案内溝の一端側に配置された当接部材は、付勢手段により移動部材に向けて付勢されて所定位置に位置決めされており、付勢手段による付勢力をＦ１、振分け付勢ばねによる付勢力をＦ２としたときに、これらの関係がＦ１＞Ｆ２であるので、振分け付勢ばねの付勢力Ｆ２を受けて釣糸巻取位置に向けて振分けられた移動部材は、当接部材に突き当たるようにして当接し、所定位置に停止して保持される。これによって、ベール支持部材が所定の釣糸巻取位置に保持される。
【００１３】
そして、当接部材は、外部負荷入力により、移動部材の押圧力が前記付勢力Ｆ１よりもさらに大きくなった場合（振分け付勢ばねの付勢力Ｆ２に外部負荷入力が付加された押圧力が付勢力Ｆ１よりも大きくなった場合）に、付勢手段に抗して案内溝の一端に向けて移動可能に構成されているので、次のように作用する。
つまり、外部からの衝撃や荷重がベール支持部材に入力され、この入力の付加により、押圧部材から当接部材に作用する押圧力が付勢力Ｆ１よりもさらに大きなものとなると、移動部材が当接部材を押圧して、当接部材が案内溝の一端に向けて移動される。これにより、ベール支持部材が釣糸巻取位置を超えて釣糸放出位置と反対側に向けて回動することとなる。つまり、付勢力Ｆ１よりもさらに大きな押圧力を生じるような外部からの衝撃や荷重をベールやベール支持部材が受けた場合にのみ、釣糸巻取位置から釣糸放出位置と反対側にベール支持部材が回動するようになっている。
なお、外部負荷入力がなくなると、付勢力Ｆ１によって移動部材が所定位置に戻され、ベール支持部材が釣糸巻取位置に復帰することとなる。
【００１４】
また、本発明では、前記当接部材における前記移動部材との当接部位に、金属製の介設部材が介設されていることを特徴とする。
【００１５】
この魚釣用スピニングリールによれば、移動部材が当接部材に当接して所定位置に保持される際に、移動部材が介設部材に当接することとなり、当接時に金属音を発生する。
また、介設部材の内側に中空部を設けることで、当接時にこの中空部が空気振動用の空間として機能する。
【発明の効果】
【００１６】
本発明によれば、当接部材は、外部負荷入力により、移動部材の押圧力が付勢力Ｆ１よりもさらに大きくなった場合に、付勢手段に抗して案内溝の一端に向けて移動可能に構成されており、ベール支持部材が釣糸巻取位置を超えて釣糸放出位置と反対側に向けて回動するようになっているので、外部からの衝撃や荷重をベール支持部材が受けた場合には、この衝撃や荷重のエネルギを十分に和らげて吸収することができ、ベールやベール支持部材、あるいはロータのアーム部等の耐衝撃性能、耐荷重性能を向上させることが可能となる。これにより、ベールやベール支持部材、あるいはロータのアーム部等に変形や損傷が生じるのを好適に防止することができる。
【００１７】
また、付勢手段による付勢力Ｆ１と、振分け付勢ばねによる付勢力Ｆ２との関係がＦ１＞Ｆ２であるので、通常のベール操作において、釣糸放出位置から釣糸巻取位置にベール支持部材を回動させた場合には、前記関係から移動部材が当接部材に突き当たるように当接して所定位置に好適に停止して保持される。したがって、ベール支持部材が釣糸巻取位置に好適に位置決めされ、ベール操作時において、操作者に対して違和感を与えることもない。
また、通常のベール操作においては、前記関係から、移動部材が当接部材に突き当たるように当接するので、当接時の復帰音（反転音）にも違和感がない。
【００１８】
また、当接部材における移動部材との当接部位に、金属製の介設部材を介設した構成では、移動部材が介設部材に当接して所定位置（釣糸巻取位置）に保持される際に、金属音を発生するので、ベール支持部材が釣糸巻取位置に位置決めされたことを音により確認することができ、ベール操作時に、手元をいちいち目視確認する必要がなくなる。したがって、使い勝手がよく操作性に優れた魚釣用スピニングリールが得られる。
また、介設部材の内側に中空部を設けることで、当接時にこの中空部が空気振動用の空間として機能するので、当接時に空気振動が励起され、優れた操作音を発する。これにより、ベール支持部材が釣糸巻取位置に位置決めされたことがより一層確認しやすくなり、操作性がより向上する。
【図面の簡単な説明】
【００１９】
【図１】本発明の第１実施形態に係る魚釣用スピニングリールの構成を示す一部断面側面図である。
【図２】（ａ）は釣糸巻取位置にある状態のアーム部およびベール支持部材を示す一部断面側面図、（ｂ）は図２（ａ）の状態における反転復帰機構の説明図である。
【図３】（ａ）は釣糸巻取位置から釣糸放出位置へベール支持部材が回動する途中の状態を示す一部断面側面図、（ｂ）は図３（ａ）の状態における反転復帰機構の説明図である。である。
【図４】（ａ）は釣糸放出位置にある状態のアーム部およびベール支持部材を示す一部断面側面図、（ｂ）は図４（ａ）の状態における反転復帰機構の説明図である。
【図５】外部からの衝撃や荷重を受けたときの作用説明図である。
【図６】本発明の第２実施形態に係る魚釣用スピニングリールにおいて、釣糸巻取位置にある状態のアーム部およびベール支持部材を示す一部断面側面図である。
【図７】変形例を示す一部断面側面図である。
【発明を実施するための形態】
【００２０】
以下、本発明に係る魚釣用スピニングリールの実施形態について図面を参照しながら説明する。なお、以下の説明において、「前後」を言うときは、図１に示した方向を基準とする。
【００２１】
図１に示すように、主として、魚釣用スピニングリールは、図示しない釣竿に装着するための脚部１Ａが形成されたリール本体１と、リール本体１の前方に回転可能に設けられたロータ２と、このロータ２の回転運動と同期して前後方向移動可能に設けられたスプール３とを有して構成される。
【００２２】
リール本体１には、図示しない軸受を介してハンドル軸４が回転可能に支持されており、その図示しない突出端部には、巻き取り操作されるハンドル５が取り付けられている。ハンドル軸４には、図示しない軸筒が、回り止めされて固定されており、この軸筒には、ロータ２を巻き取り駆動するための内歯が形成されたドライブギヤ６が一体的に形成されている。このドライブギヤ６は、ハンドル軸４と直交する方向に延出するとともに内部に軸方向に延出する空洞部を有する駆動軸筒８のピニオンギヤ８ａに噛合している。
【００２３】
駆動軸筒８は、軸受を介して回転可能に支持されており、その空洞部には、ハンドル軸４と直交する方向に延出し、先端側にスプール３を取り付けたスプール軸９が、軸方向に移動可能に挿通され、支持されている。
【００２４】
スプール軸９の後部側は、スプール軸９を前後動させるためのオシレーティング機構１０が設けられている。オシレーティング機構１０は、リール本体１内に回転可能に支持され、スプール軸９と平行に延出する螺軸（ウォームシャフト）１０ａと、スプール軸９の後部に回転不能で軸方向移動可能に固定される摺動子１０ｂとを備えている。螺軸１０ａの前端部には、ピニオンギヤ８ａと噛合する連動歯車１１が設けられており、前記したハンドル５を回転操作することで、螺軸１０ａは、ドライブギヤ６、ピニオンギヤ８ａおよび連動歯車１１を介して回転駆動される。そして、螺軸１０ａの周面には、軸方向に沿って螺旋状の図示しないカム溝が形成されており、このカム溝に、摺動子１０ｂに収容保持された係合ピン（図示せず）が係合することで、スプール軸９（スプール３）は、ハンドル５の巻き取り操作により前後に往復動されるようになっている。
【００２５】
駆動軸筒８はスプール３側に向けて延出しており、その前端部において、図示しないナットを介してロータ２が取り付けられている。また、駆動軸筒８には、その中間部分に転がり式の図示しない一方向クラッチが取り付けられており、リール本体１の外部に取り付けられた図示しない切換部材を回動操作することで、この一方向クラッチを作動状態と非作動状態とに切り換えるように構成されている。この場合、切換部材を作動状態に切り換えることで、ハンドル５（ロータ２）の逆転方向の回転（釣糸放出方向の回転）が防止されるようになっている。
【００２６】
ロータ２は、スプール３のスカート部３ａ内に位置する円筒部２ａと、一対のアーム部２Ａ，２Ｂを具備している。各アーム部２Ａ，２Ｂの前端部には、ベール支持部材１２Ａ，１２Ｂが釣糸巻取位置と釣糸放出位置との間で回動自在に支持されており、これらのベール支持部材１２Ａ，１２Ｂ間には、放出状態にある図示しない釣糸をピックアップするためのベール１３が配設されている。ベール１３は、一方の基端部がベール支持部材１２Ａに一体的に設けられた釣糸案内部２ｂに取り付けられており、他方の基端部がベール支持部材１２Ｂの先端部２ｃに取り付けられている。
【００２７】
スプール３は、スカート部３ａと前側フランジ３ｂとの間に図示しない釣糸が巻回される釣糸巻回胴部３ｃを備えており、スプール軸９に図示しないドラグ機構を介して摩擦結合され、ノブ３ｄを回動操作することでスプール３のドラグ力が調節される。
【００２８】
このような構成によって、ハンドル５を巻き取り操作することで、ロータ２がドライブギヤ６およびピニオンギヤ８ａを介して回転駆動され、かつスプール３がピニオンギヤ８ａおよびオシレーティング機構１０を介して前後動され、図示しない釣糸は、釣糸案内部２ｂを介してスプール３の釣糸巻回胴部３ｃに均等に巻き付けられる。
【００２９】
ベール支持部材１２Ａは、図１，図２（ａ）に示すように、その回動基部１２１がピン１４によって軸支され、アーム部２Ａに対して回動可能に設けられている。また、ベール支持部材１２Ｂは、図１に示すように、アーム部２Ｂに設けられた図示しないピンによって軸支され、アーム部２Ｂに対して回動可能に設けられている。
そして、ベール支持部材１２Ａ，１２Ｂは、アーム部２Ａに設けられた付勢機構２０によって、釣糸巻取位置（図２（ａ）参照）または釣糸放出位置（図４（ａ）参照）に保持されようになっている。
【００３０】
ベール支持部材１２Ａを支持しているアーム部２Ａには、ベール支持部材１２Ａの回動基部１２１と対応する部位に、図２（ａ）に示すように、円弧状の案内溝１５が設けられている。案内溝１５には、ベール支持部材１２Ａ側に設けられた移動部材１６が挿入配置されており、この移動部材１６は、ベール１３を回動操作等した際のベール支持部材１２Ａの回動に連動して、後記するように、案内溝１５内の２つの位置（釣糸巻取位置、釣糸放出位置）の間を移動可能に設けられている。
【００３１】
案内溝１５の一端部１５ａは、他の部分（一端部１５ａ以外の部分）よりも溝幅が大きく形成されており、この溝幅の大きく形成された一端部１５ａに、付勢手段として機能する金属製の板状のばね部材１７が縮設配置されている。ばね部材１７は、略Ｕ字形状を呈しており、移動部材１６に対向する側に配置される腕部１７ａ（当接部材として機能する）が案内溝１５の段差部１５ｂに当接して、一端部１５ａ内に配置されている。
本実施形態では、このように段差部１５ｂに当接した状態の腕部１７ａに移動部材１６が当接した状態で、ベール支持部材１２Ａが釣糸巻取位置に位置決めされるように設定されている。なお、これとは反対側となる案内溝１５の他端部１５ｃに移動部材１６が当接した状態で、ベール支持部材１２Ａが釣糸放出位置（図４（ａ）参照）に位置決めされるようになっている。
【００３２】
付勢機構２０は、図２（ａ）に示すように、有底円筒状の揺動部材２１と、振分け部材２２と、振分け付勢ばね２３とを備えている。揺動部材２１は、支軸２１ａを介してアーム部２Ａに揺動可能に取り付けられており、振分け部材２２の後端側をスライド自在に保持する。
【００３３】
振分け部材２２は、棒状の部材であり、アーム部２Ａ側とベール支持部材１２Ａ側とを接続している。振分け部材２２の前端２２ａは、ベール支持部材１２Ａ側に折り曲げられて（図１参照）、ベール支持部材１２Ａの回動基部１２１（図１参照）に設けられた穴部１２２に挿入支持されている。一方、振分け部材２２の後端側は、前記したように揺動部材２１に挿入され、揺動部材２１を介してアーム部２Ａに支持されている。
【００３４】
振分け付勢ばね２３は、前端部が振分け部材２２に固着されたばね受部２２ｂに保持されるとともに、後端部が揺動部材２１の底部２１ｂに保持されており、これらの間に縮設配置されている。
【００３５】
このような付勢機構２０は、前記した揺動部材２１、振分け部材２２および振分け付勢ばね２３が協働して、ベール支持部材１２Ａを釣糸巻取位置と釣糸放出位置との２つの位置に振分けるようになっている。
【００３６】
図２（ａ）において、ベール支持部材１２Ａは、振分け付勢ばね２３の付勢力によって釣糸巻取位置に振分け保持された状態を示しており、この状態において、振分け付勢ばね２３は、ベール支持部材１２Ａに対し、これを図２（ａ）中ピン１４を中心に反時計回り方向Ｘ１で回転させるように付勢力を付与している。そして、この釣糸巻取位置から、手動でベール１３およびベール支持部材１２Ａ，１２Ｂ（図１参照、以下同じ）を振分け付勢ばね２３の付勢力に抗して図２（ａ）中時計回り方向Ｘ２に回動させると、振分け部材２２は、ベール支持部材１２Ａとともに移動しながら、振分け付勢ばね２３を圧縮させつつ揺動部材２１の支軸２１ａを中心に揺動する（図３（ａ）参照）。
【００３７】
その後、付勢機構２０のデッドポイント（ピン１４の中心と支軸２１ａの中心とを結んだ図示しない線上に振分け部材２２の軸心が重なるポイント）を越える領域までベール支持部材１２Ａが時計回り方向Ｘ２に回動されると、振分け付勢ばね２３は、ベール支持部材１２Ａに対しこれを図中時計回り方向Ｘ２に回転させるように（釣糸放出位置へ回動させるように）付勢力を付与するようになる。これにより、ベール支持部材１２Ａは、この振分け付勢ばね２３の付勢力によって、釣糸放出位置に向けて回動され、前記した移動部材１６が案内溝１５の他端部１５ｃに当接する位置で移動部材１６の移動が規制されて、釣糸放出位置に反転保持される。
【００３８】
逆に、釣糸放出位置から、手動でベール支持部材１２Ａを振分け付勢ばね２３の付勢力に抗して回動させ、付勢機構２０の前記したデッドポイントを越える領域までベール支持部材１２Ａを反時計回り方向Ｘ１に回動すると、振分け付勢ばね２３は、ベール支持部材１２Ａに対しこれを図中反時計回り方向Ｘ１に回転させる方向（釣糸巻取位置へ回動させる方向）で付勢力を付与するようになる。これによって、ベール支持部材１２Ａは、釣糸巻取位置に向けて回動され、前記した移動部材１６がばね部材１７の腕部１７ａに突き当たる位置で回動が停止されて、釣糸巻取位置に復帰保持される。
【００３９】
ここで、案内溝１５に設けられたばね部材１７の付勢力をＦ１とし、付勢機構２０の振分け付勢ばね２３の付勢力をＦ２とすると、本実施形態では、これらの関係がＦ１＞Ｆ２となるように設定されており、ばね部材１７の腕部１７ａは、付勢力Ｆ１よりもさらに大きな押圧力（付勢力Ｆ２に外部負荷入力の付加された押圧力）で移動部材１６により押圧された場合に、付勢力Ｆ１に抗して案内溝１５の一端に向けて移動可能に構成されている。
つまり、付勢力Ｆ１は、実釣時において、ベール１３を釣糸放出位置から釣糸巻取位置に手で回動操作した際の（多少の勢いをつけて回動操作した際を含む）、移動部材１６の当接力（振分け付勢ばね２３の付勢力Ｆ２）に抗する大きさを有しており、かつ、付勢力Ｆ１よりもさらに大きな押圧力でばね部材１７の腕部１７ａが移動部材１６によって押圧された場合に、その押圧力を受けて移動部材１６を一端に向けて移動可能とする大きさに設定されている。
【００４０】
具体的に、図５に示すように、ばね部材１７の無負荷状態の全長をＬ１、ばね部材１７を案内溝１５に装着された状態の全長をＬ１’、全長差をΔＬ１、としたときに、全長差ΔＬ１は、
ΔＬ１  ＝  Ｌ１  −  Ｌ１’
で求められ、ばね部材１７のばね定数をｋ１とすると、ばね部材１７の付勢力Ｆ１は、
Ｆ１  ＝  ｋ１  ×  ΔＬ１
で求められる。
【００４１】
一方、振分け付勢ばね２３の無負荷状態の全長をＬ２、振分け部材２２に装着された状態の全長をＬ２’、全長差をΔＬ２、としたときに、全長差ΔＬ２は、
ΔＬ２  ＝  Ｌ２  −  Ｌ２’  
で求められ、振分け付勢ばね２３のばね定数をｋ２とすると、振分け付勢ばね２３の付勢力Ｆ２は、
Ｆ２  ＝  ｋ２  ×  ΔＬ２
で求められる。
【００４２】
ここで、付勢力Ｆ１よりもさらに大きな押圧力でばね部材１７の腕部１７ａが移動部材１６によって押圧された場合とは、外部からの衝撃や荷重がベール１３やベール支持部材１２Ａに入力され、付勢力Ｆ２に外部負荷入力を加えてなる押圧力が付勢力Ｆ１よりもさらに大きくなって、これが移動部材１６を介してばね部材１７の腕部１７ａに作用した場合である。なお、外部からの衝撃や荷重は、実釣時、運搬時あるいは保管時等において、不慮の入力としてベール１３やベール支持部材１２Ａに作用することがある。
なお、外部からの衝撃や荷重が入力された場合の作用については後記する。
【００４３】
アーム部２Ａの後端部には、図２（ａ）（ｂ）に示すように、反転復帰機構３０が配設されている。この反転復帰機構３０は、ハンドル５（図１参照、以下同じ）の巻取操作に連動してベール支持部材１２Ａ，１２Ｂを釣糸放出位置から釣糸巻取位置へ自動復帰させる機構であり、付勢機構２０の振分け部材２２の後端部２２ｃが当接するようになっており、この当接に連動して作動するようになっている。
【００４４】
反転復帰機構３０は、ピン部材３１に支持されて、ピン部材３１を中心として回動可能に設けられた係合部材３２と、係合部材３２に設けられたローラ３３と、係合部材３２の回動を規制する規制部３４とを備えている。
係合部材３２は、付勢機構２０の振分け部材２２が当接する当接部３２ａと、ローラ３３が支持される基端部３２ｂとを有しており、ピン部材３１を中心としてばね３１ａによって規制部３４に当接する方向に付勢されている。当接部３２ａには、図３（ａ）（ｂ）に示すように、手動でベール支持部材１２Ａを釣糸巻取位置から釣糸放出位置へ回動操作する途中において、付勢機構２０の振分け部材２２の後端部２２ｃが側方から当接するようになっており、さらなるベール支持部材１２Ａの釣糸放出位置へ向けた回動操作により、当接部３２ａは、振分け部材２２の後端部２２ｃで押圧されるように構成されている。
【００４５】
係合部材３２は、このような押圧によって、ピン部材３１を中心として、図３（ｂ）中矢印Ｙ２方向に回動され、釣糸放出位置までベール支持部材１２Ａが回動操作された状態では、図４（ｂ）に示すように、基端部３２ｂがリール本体１の前端部１ａに向けて突出する状態に保持される。これにより、基端部３２ｂのローラ３３は、リール本体１の前端部１ａに近接配置されるようになっている。
【００４６】
ここで、リール本体１の前端部１ａには、ローラ３３に対向する位置に突出部１ｂが設けられている。この突出部１ｂは、前記のようにリール本体１の前端部１ａに向けて突出したローラ３３に当接可能であり、このローラ３３の当接によって係合部材３２を図４中矢印Ｙ１方向に回動させるように機能する。
突出部１ｂは、ローラ３３の移動方向に沿う周方向に高低差を形成した緩やかな湾曲傾斜面１ｃを有しており、ロータ２が回動操作された際に（釣糸放出位置においてハンドル５が回動操作され、図４（ｂ）中白抜き矢印Ｋで示す方向にロータ２が回動した際に）、この湾曲傾斜面１ｃ上をローラ３３が移動して乗り越えるように構成されている。ローラ３３は、この湾曲傾斜面１ｃに乗り上げるようにして当接可能であり、突出部１ｂをローラ３３が乗り越えることで、係合部材３２に対して図４中矢印Ｙ１方向の回動力を付与する。
【００４７】
このような反転復帰機構３０では、図４（ａ）（ｂ）に示すように、釣糸放出位置においてハンドル５が回動操作され、図４（ｂ）中白抜き矢印Ｋで示す方向にロータ２が回動されると、リール本体１の前端部１ａに向けて突出したローラ３３が突出部１ｂに当接して湾曲傾斜面１ｃに乗り上げ、湾曲傾斜面１ｃ上を移動する過程で、ローラ３３がアーム部２Ａ側に押圧される。これにより、係合部材３２が図４（ｂ）中矢印Ｙ１方向に回動され、この回動により振分け部材２２の後端部２２ｃを押圧して、振分け部材２２を前記したデッドポイントに向けて回動させる。
【００４８】
その後、振分け部材２２（ベール支持部材１２Ａ）がデッドポイントを越える領域まで回動されると、振分け付勢ばね２３の付勢力によって、ベール支持部材１２Ａが図３（ａ）中矢印Ｘ１方向に回動され、ベール支持部材１２Ａが釣糸巻取位置に復帰する（図２（ａ）参照）。
なお、係合部材３２は、ばね３１ａで付勢されているので、振分け部材２２の回動に追従して図３（ｂ）中矢印Ｙ１方向に回動し、その後、図２（ｂ）に示すように、規制部３４に当接して元の位置に復帰する。
【００４９】
なお、図示はしないが、ベール支持部材１２Ｂ側には、ロータ２に制動力を付与するための機構が設けられており、この機構によってロータ２の不要な回転が防止されて、釣糸ピックアップ位置の変化や釣糸放出操作時のロータ２の回転による誤復帰が解消されるようになっている。
【００５０】
次に、通常のベール支持部材１２Ａの回動操作、および釣糸巻取位置にベール支持部材１２Ａが位置決めされている状態において、外部からの衝撃や荷重がベール１３やベール支持部材１２Ａに入力された場合の作用について説明する。
まず、通常のベール１３の操作において、釣糸放出位置から釣糸巻取位置にベール支持部材１２Ａを回動させると、案内溝１５内を一端側に向けて移動部材１６が移動し、一端側のばね部材１７の腕部１７ａに移動部材１６が突き当たるようにして当接する。ばね部材１７の付勢力Ｆ１は、付勢機構２０の振分け付勢ばね２３の付勢力Ｆ２よりも大きく設定されているので（Ｆ１＞Ｆ２）、移動部材１６は、ばね部材１７の腕部１７ａに当接した位置で停止する。これによって、ベール支持部材１２Ａが釣糸巻取位置に好適に位置決めされることとなる。
ここで、ばね部材１７の付勢力Ｆ１は、多少の勢いをつけて釣糸放出位置から釣糸巻取位置にベール支持部材１２Ａを回動操作した場合に生じる移動部材１６の当接力よりも大きく設定されているので、多少の勢いをつけてベール支持部材１２Ａが回動しても移動部材１６は所定位置に好適に停止し、ベール支持部材１２Ａが釣糸巻取位置に好適に位置決めされることとなる。
【００５１】
釣糸巻取位置に移動部材１６が位置決めされている状態において、図５に示すように、ベール１３やベール支持部材１２Ａに対して外部負荷入力として衝撃や荷重が入力されると、その衝撃や荷重Ｆ３（Ｆ３’）は、ベール支持部材１２Ａを介して移動部材１６に入力され、ばね部材１７の腕部１７ａを一端側に押圧する押圧力として作用する。ここで、腕部１７ａに作用する押圧力をＦ４とすると、押圧力Ｆ４は、
Ｆ４  ＝  Ｆ３（またはＦ３’）  ＋  Ｆ２
となる。このとき、押圧力Ｆ４がばね部材１７の付勢力Ｆ１よりもさらに大きい場合には、移動部材１６がばね部材１７の腕部１７ａを押圧して、ばね部材１７が収縮する状態となり、その結果、移動部材１６が一端に向けて移動することとなる。つまり、ベール支持部材１２Ａが釣糸巻取位置を超えて釣糸放出位置と反対側に向けて回動することとなり、この回動によって、外部からの衝撃や荷重Ｆ３（Ｆ３’）のエネルギが十分に吸収されることとなる。
【００５２】
なお、押圧力Ｆ４がばね部材１７の付勢力Ｆ１と同じかあるいは小さい場合には、移動部材１６がばね部材１７の腕部１７ａを押圧することなく、移動部材１６は所定位置に保持されたままの状態となって、ベール支持部材１２Ａが釣糸巻取位置に位置決めされた状態が維持される。
すなわち、外部からの衝撃や荷重Ｆ３（Ｆ３’）を付加した押圧力Ｆ４が、ばね部材１７の付勢力Ｆ１よりも大きくなって初めて、ばね部材１７が収縮し、そのエネルギが吸収されるようになっている。
【００５３】
以上説明した本実施形態の魚釣用スピニングリールによれば、ばね部材１７の腕部１７ａは、その付勢力Ｆ１よりもさらに大きな押圧力Ｆ４で移動部材１６により押圧された場合に、付勢力Ｆ１に抗して案内溝１５の一端に向けて移動可能に構成され、ベール支持部材１２Ａが釣糸巻取位置を超えて釣糸放出位置と反対側に向けて回動するようになっているので、外部からの衝撃や荷重をベール支持部材１２Ａが受けた場合には、この衝撃や荷重のエネルギをこの回動により十分に和らげて吸収することができ、ベール１３やベール支持部材１２Ａ、あるいはロータ２のアーム部２Ａ等の耐衝撃性能、耐荷重性能を向上させることが可能となる。これにより、ベール１３やベール支持部材１２Ａ、あるいはロータ２のアーム部２Ａ等に変形や損傷が生じるのを好適に防止することができる。
【００５４】
また、ばね部材１７の付勢力Ｆ１と、振分け付勢ばね２３の付勢力Ｆ２との関係が、Ｆ１＞Ｆ２であるので、通常のベール１３の操作において、釣糸放出位置から釣糸巻取位置にベール支持部材１２Ａ（１２Ｂ）を回動させた場合には、前記関係から、移動部材１６がばね部材１７の腕部１７ａに突き当たるようにして当接して、所定位置に好適に保持されることとなり、ベール支持部材１２Ａが釣糸巻取位置に好適に位置決めされることとなる。したがって、ベール１３の操作時において、操作者に対して違和感を与えることもない。
また、通常のベール１３の操作においては、前記関係から、移動部材１６がばね部材１７の腕部１７ａに突き当たるように当接するので、当接時の復帰音（反転音）にも違和感がない。
【００５５】
また、ばね部材１７は金属製であるので、移動部材１６がばね部材１７の腕部１７ａに突き当たる際に、金属音を発生するので、ベール支持部材１２Ａ（１２Ｂ）が釣糸巻取位置に位置決めされたことを音により確認することができ、ベール１３の操作時に、手元をいちいち目視確認する必要がなくなる。したがって、使い勝手がよく操作性に優れた魚釣用スピニングリールが得られる。
【００５６】
（第２実施形態）
本実施形態では、図６に示すように、ばね部材１７と移動部材１６との間に、金属製の当接部材として機能する介設部材１８を介設した点が前記第１実施形態と異なっている。
図６に示すように、介設部材１８は、案内溝１５の段差部１５ｂに係合する段付き形状を呈しており、ばね部材１７の腕部１７ａに付勢されて、段差部１５ｂに係止されている。この場合、段差部１５ｂに係止された状態で、介設部材１８の対向部に移動部材１６が突き当てられることで、ベール支持部材１２Ａが釣糸巻取位置に位置決めされるようになっており、介設部材１８を案内溝１５内に介設する分、案内溝１５の一端１５ｄが溝方向に長く延設されている。これにより、ばね部材１７の所望の付勢力Ｆ１が介設部材１８に付与されるように構成されている。
【００５７】
このような魚釣用スピニングリールによれば、第１実施形態で説明した作用効果の他に、金属製の介設部材１８を介設した構成であるので、移動部材１６が介設部材１８に突き当たるようにして当接する際に、金属音を発生するので、ベール支持部材１２Ａが釣糸巻取位置に位置決めされたことを音により確認することができ、ベール１３の操作時に、手元をいちいち目視確認する必要がなくなる。したがって、使い勝手がよく操作性に優れた魚釣用スピニングリールが得られる。
【００５８】
図７は変形例を示す一部断面側面図であり、介設部材１８の内側には、中空部１８ａが形成されている。
中空部１８ａは、介設部材１８内に密閉して形成してもよいし、外部と連通するように形成（孔やスリットとして形成）してもよい。外部と連通するように中空部１８ａを形成した場合には、介設部材１８の形成が簡単である。また、中空部１８ａの形状や数は任意に設定することができる。
【００５９】
この変形例によれば、介設部材１８の内側に中空部１８ａを設けることで、当接時にこの中空部１８ａが空気振動用の空間として機能するので、移動部材１６の当接時に空気振動が励起され、優れた操作音を発する。これにより、ベール支持部材１２Ａ（１２Ｂ）が釣糸巻取位置に位置決めされたことがより一層確認しやすくなり、操作性がより向上する。
【００６０】
また、前記実施形態では、付勢力Ｆ１は、ばね部材１７（板ばね）の弾性復元力によって発生させているが、本発明はこれに限られることはなく、コイルスプリングや皿ばね、ゴムなどの弾性体を用いて発生させてもよい。
【００６１】
また、前記実施形態では、アーム部２Ａに案内溝１５を設け、ベール支持部材１２Ａに移動部材１６を設けたが、これに限られることはなく、これとは逆に、アーム部２Ａに移動部材１６を設け、ベール支持部材１２Ａに案内溝１５を設けてもよい。
また、ベール支持部材１２Ｂ側に、案内溝１５やベール支持部材１２Ａに設けた移動部材１６を設けてもよく、ベール支持部材１２Ｂ側のみでも、ベール支持部材１２Ａ側とベール支持部材１２Ｂ側の両方に設けてもよい。
【符号の説明】
【００６２】
１      リール本体
２      ロータ
２Ａ    アーム部
２Ｂ    アーム部
１２Ａ  ベール支持部材
１２Ｂ  ベール支持部材
１３    ベール
１５    案内溝
１６    移動部材
１７    ばね部材（付勢手段）
１７ａ  腕部
１８    介設部材
１８ａ  中空部
２０    付勢機構
２３    振分け付勢ばね
３０    反転復帰機構
Ｆ１    付勢力（ばね部材）
Ｆ２    付勢力（振分け付勢ばね）
【図１】
2011244752.tif 000003
【図２】
2011244752.tif 000004
【図３】
2011244752.tif 000005
【図４】
2011244752.tif 000006
【図５】
2011244752.tif 000007
【図６】
2011244752.tif 000008
【図７】
2011244752.tif 000009